(57)【要約】  本発明は、１つのケース本体を用いて歯間の清掃および歯磨きの両方が可能な歯ブラシ兼用電動歯間ブラシとすることを課題とする。  振動発生手段（１１）と、振動発生手段（１１）の駆動電源（１２）と、振動発生手段（１１）および駆動電源（１２）のスイッチ（１４）を含む制御部（１３）を内蔵したケース本体（１）の先端に振動発生手段（１１）により出力される振動により往復動する歯間ブラシ部材（２）がケース本体（１）の軸線に沿って配置されているとともに、先端に歯ブラシ（３１１）を付設した底面を開放した歯ブラシ部材（３）が歯間ブラシ部材（２）を覆って取り外し可能にケース本体（１）の先端に嵌装可能であり、歯ブラシ部材（３）を嵌装させたときに振動発生手段（１１）により出力される振動により歯ブラシ（３１１）が往復動するものとした。
2012091166.tif 000002
【特許請求の範囲】
【請求項１】
振動発生手段と、前記振動発生手段の駆動電源と、前記振動発生手段および駆動電源のスイッチを含む制御部を内蔵したケース本体の先端に前記振動発生手段により出力される振動により往復動する歯間ブラシが前記ケース本体の軸線に沿って配置されているとともに、先端に歯ブラシを付設した底面を開放した歯ブラシ部材が前記歯間ブラシを覆って取り外し可能に前記ケース本体の先端に嵌装可能であり、前記歯ブラシ部材を嵌装させたときに前記振動発生手段により出力される振動により前記歯ブラシが往復動することを特徴とする歯ブラシ兼用電動歯間ブラシ。
【請求項２】
前記歯間ブラシが基端において所定の角度に傾倒可能に前記ケース本体に支持されていることを特徴とする請求の範囲１記載の歯ブラシ兼用電動歯間ブラシ。
【請求項３】
前記歯間ブラシおよび前記歯間ブラシのブラシ部が交換可能であることを特徴とする請求の範囲１または２記載の歯ブラシ兼用電動歯間ブラシ。
【請求項４】
前記ケース本体の先端に歯ブラシ部材を嵌装させた状態で取り外し可能に筒状キャップが嵌装される請求の範囲１，２または３記載の歯ブラシ兼用電動歯間ブラシ。
【請求項５】
前記筒状キャップが前記ケース本体の基部に取り外し可能に嵌装可能である請求の範囲４記載の歯ブラシ兼用電動歯間ブラシ。
【発明の詳細な説明】
【技術分野】
【０００１】
本発明は、電動式歯間ブラシ、殊に歯ブラシとしても使用可能な歯ブラシ兼用電動歯間ブラシに関するものである。
【背景技術】
【０００２】
従来から、歯間に堆積した歯垢や食物残滓は、虫歯と歯槽膿漏の原因である細菌の温床となり、これを除去するために歯間ブラシが使用されており、効率よく且つ確実に歯垢や食物残滓を除去する目的で電動歯間ブラシが例えば実開平５−３４９２４号公報、実開平７−２５８２９号公報などに提示されている。
前記公報に提示されている電動歯間ブラシは、振動発生手段と、前記振動発生手段の駆動電源と、前記振動発生手段および駆動電源のスイッチを含む制御部を内蔵した筒状のケース本体の先端に前記振動発生手段により出力される振動により往復動する歯間ブラシが配置されたものであり、駆動電源として電池を使用することによりコードレスで携行にも便利なものとなっている。また、歯間ブラシがケース本体の軸心に対して例えば４５度程度に傾斜している場合が歯間の清掃に都合がよいことも知られている。
ところが、前記公報に提示されている電動歯間ブラシは歯間の清掃作業には適しているが、歯の１つ１つを対象にすることから通常の歯磨き用として用いるには作業が煩雑であり通常の電動歯ブラシのように使用することができない。
従って、電動歯間ブラシとは別に電動歯ブラシを使用する必要があり、双方を購入することになり、経済的負担が増えることはいうまでもなく、洗面所などにおける設置場所の確保や携行にも不便であるという問題があった。
【先行技術文献】
【特許文献】
【０００３】
【特許文献１】実開平５−３４９２４号公
【特許文献２】実開平７−２５８２９号公報
【発明の概要】
【発明が解決しようとする課題】
【０００４】
本発明は、上紀のような問題を解決しようとするものであり、特に、１つのケース本体を用いて歯間の清掃および歯磨きの両方が可能な歯ブラシ兼用電動歯間ブラシを提供することを課題とする。
【課題を解決するための手段】
【０００５】
前記課題を解決するためになされた本発明は、振動発生手段と、前記振動発生手段の駆動電源と、前記振動発生手段および駆動電源のスイッチを含む制御部を内蔵したケース本体の先端に前記振動発生手段により出力される振動により往復動する歯間ブラシが前記ケース本体の軸線に沿って配置されているとともに、先端に歯ブラシを付設した底面を開放した歯ブラシ部材が前記歯間ブラシを覆って取り外し可能に前記ケース本体の先端に嵌装可能であり、前記歯ブラシ部材を嵌装させたときに前記振動発生手段により出力される振動により前記歯ブラシが往復動することを特徴とする。
本発明によれば、ケース本体の先端に配置した歯間ブラシを、ケース本体に内蔵した振動発生手段により出力される振動により往復動させて歯間清掃を行う。また、先端に歯ブラシを付設した底面を開放した歯ブラシ部材を前記歯間ブラシを覆ってケース本体の先端に嵌装して、歯ブラシ部材を往復動させて歯磨きを行う。
特に、通常は歯間ブラシに歯ブラシ部材を被せた状態とすることにより別部品として保管或いは携行する必要がなく、場所を取らずに保管し、容易に携行することもできる。
また、本発明において、前記歯間ブラシが基端において所定の角度に傾倒可能に前記ケース本体に支持させることにより、歯間ブラシを使用するときに、従来の電動歯間ブラシのように歯間ブラシを所定の角度に傾斜させた状態で使用することが可能であり、きわめて効率のよい歯間清掃を行うことができる。
更に、本発明において、前記歯間ブラシのブラシ部が交換可能とすることにより、細くて消耗し易い歯間ブラシを新たなものに交換して長期の使用を可能にすることができる。
更にまた、前記ケース本体の先端に歯ブラシ部材を嵌装させた状態で取り外し可能に筒状キャップを嵌装することにより、歯間ブラシを歯ブラシ部材を被せた状態で被蓋することができ、保管や携行にも適しており、殊に、前記ケース本体の先端に被せた筒状キャップを外して前記ケース本体の基部に取り付けることにより外した筒状キャップの置き場所が不要であるだけでなく、ケース本体の長さを伸ばして掴み易くすることができるのでケース本体の長さを短くして全体を小型化することもできる。
【発明の効果】
【０００６】
本発明によれば、１つのケース本体を用いて歯間の清掃および歯磨きの両方が可能な歯ブラシ兼用電動歯間ブラシを提供することができる。
【図面の簡単な説明】
【０００７】
図１は本発明である歯ブラシ兼用電動歯間ブラシを実施するための最良の形態を示した斜視図である。
図２は図１に示した実施の形態の電動歯間ブラシについての断面図であり、（ａ）は収納状態、（ｂ）が使用状態である。
図３は図１に示した実施の形態の電動歯間ブラシについての使用状態を示す説明図であり、（ａ）は背面側（ｂ）は正面側である。
図４は図１に示した実施の形態の電動歯間ブラシについて歯ブラシとして使用する状態を示す説明図であり、（ａ）は正面側（ｂ）は背面側である。
図５は図１に示した実施の形態の電動歯間ブラシについて歯ブラシとして使用する状態の断面図である。
図６は図１に示した実施の形態の歯ブラシ部材を示す説明図である。
図７は図１に示した実施の形態について筒状キャップをケース本体の先端側に被せた状態の説明図である。
図８は図１に示した実施の形態について筒状キャップをケース本体の基端側に被せた状態の説明図である。
図９は図１に示した実施形態の歯間ブラシ部材とケース本体との嵌装形態を示した説明図である。
図１０は図１に示した実施形態の歯間ブラシ部材とケース本体とを嵌装させた状態の説明図である。
図１１は図１に示した実施の形態の電動歯間ブラシについて、歯間ブラシ部材の収納状態を拡大した説明図である。
図１２は図１に示した実施の形態の電動歯間ブラシについて、歯間ブラシ部材の使用状態を拡大した説明図である。
図１３は図１に示した実施の形態の電動歯間ブラシについて、図１２とは別の歯間ブラシ部材の使用状態を拡大した説明図である。
【発明を実施するための形態】
【０００８】
次に、本発明を実施するための最良の形態を図面に基づいて説明する。
図面は本発明に係る歯ブラシ兼用電動歯間ブラシの好ましい実施の形態を示すものであり、本実施の形態は、図１に示すように、主として先端に歯間ブラシ部材２を配置した有底筒状のケース本体１と、前記歯間ブラシ２部材を覆って取り外し可能にケース本体１の先端に嵌装される歯ブラシ部材３と、前記ケース本体１の先端側から被せられる筒状キャップ４とから構成される。
特に、本実施の形態では、歯間ブラシ部材２はケース本体１の先端に配置された支持部材１６に支持された基部２２とその先端に配置されたブラシ部２１とからなり、図２および図３に示すように、歯間ブラシ部材２を基部２２を中心としてケース本体１の軸心に沿う状態から例えば４５度の所定角度に傾動可能に配置されており、図４および図５に示すように、歯間ブラシ部材２をケース本体１の軸心に沿う状態として歯ブラシ部材３を被せる。
また、ケース本体には係止突起１５が歯ブラシ部材３には前記係止突起１５を嵌める係止窓３２が形成されており、筒状キャップ４の頂面には水抜き孔４１が形成されている。
ケース本体１内には、例えば偏芯錘を軸着したモータのような振動発生手段１１と、前記振動発生手段１１のバッテリからなる駆動電源１２と、前記振動発生手段１１および駆動電源１２のスイッチ１４を含む制御部１５を内蔵しており、外面に露出したスイッチ１４を操作するための押しボタン１７をオン操作することにより振動発生手段１１により出力される振動により歯間ブラシ部材２のブラシ部２１が往復動する構成である。
従って、図２および図３に示すように、歯ブラシ部材３を取り外した状態で歯間ブラシ部材２を往復動させて歯間に詰まった食べ残しや歯垢を取り除く、このとき、基部２２を回転させて歯間ブラシ部材２を従来の歯間ブラシのように傾斜させると使用し易い。また、支持部材１６に歯間ブラシ部材２の基部２２が所定の傾斜角度で停止するようにストッパーを設けておくとよく、歯間ブラシ部材２が所定の角度で保持されるので使用中に傾斜が変化する心配もない。
更に、図９及び図１０の歯間ブラシ部材２の拡大図が示すように、歯間ブラシ部材２は、ケース本体から交換可能に取り付けられており、ケース本体の凸部１８と歯間ブラシ基部２２の凹部２３とが嵌合することにより嵌装される。
また、歯間ブラシ部材２は、ケース本体と回転可能に嵌合されており、例えば図１１から図１３に示すように、数段階に角度が調節可能に配置されるとともに、各角度段階において、歯間ブラシ基部２２に設けられた凹部４１ａ，４１ｂ，４１ｃがケース本体に設けられた凸部４２とそれぞれ嵌合することにより、ストッパーの働きをして、歯間ブラシ部材２を所定の角度（例えば、１８０度の歯ブラシ部材３を被せる状態、４５度の歯間ブラシ部材２として使用する状態、９０度の歯間ブラシ部材２として使用する状態）で保持可能とするように構成されている。
そして、食事の後や睡眠前に歯磨きをする場合には、歯間ブラシ部材２の部分を図１、図２（ａ）に示すように、歯間ブラシ部材２をケース本体１の軸線に合わせた状態として図４および図５に示すようにケース本体１の先部に歯ブラシ部材３を被せて前記振動発生手段１１により出力される振動により歯ブラシ部材３のブラシ部３１１が往復動するので従来の電動歯ブラシと同様に使用する。
このとき、本実施の形態では、ケース本体に形成した係止突起１５が歯ブラシ部材３に形成した係止窓３２に係止することにより歯ブラシ部材３が確実にケースに装着され、また、係止窓３２から係止突起１５を押し出すことにより簡単に係合を解除することができる。
このとき、本実施の形態では、ケース本体に形成した係止突起１５が歯ブラシ部材３に形成した係止窓３２に係止することにより歯ブラシ部材３が確実にケース本体３に支持されるので確実に振動が伝わる。殊に、本実施の形態では歯ブラシ部材３に空気抜き３３が形成されているので歯ブラシ部材３の内部の空気が振動により干渉したりする心配もない。
また、本実施の形態では、図３（ｂ），図９に示すように、歯間ブラシ２のブラシ部２１が保持部２１１に固着されて交換可能であり、歯ブラシ部材３についても図６に示すようにブラシ部３１１が保持部３１に固着されて交換可能であり、常に新規な状態を維持することができる。
このように、本実施の形態では、振動発生手段１１を内蔵した１つのケース本体１を用いて歯間ブラシ部材２と歯ブラシ部材３の両方を選択して使用することができるのできわめて経済面で有利であり、殊に歯間ブラシ部材２をケース本体１の先端に配置するとともにこれを歯ブラシ部材３により取り外し可能に被せる殊にしたので歯間ブラシと歯ブラシを兼用することができることできわめて便利である。
特に、歯間ブラシ部材２をケース本体１のほぼ中心軸に沿って配置可能としたことによりケース本体１の径を増やすことなしに歯ブラシ部材３を被せることができるので、嵩張ることもない。
更に、本実施の形態では、保管時および携行時には、歯間ブラシ部材２の部分を図１、図２（ａ）に示すように、歯間ブラシ部材２をケース本体１の軸線に合わせた状態として図４および図５に示すようにケース本体１の先部に歯ブラシ部材３を被せた状態とすることにより、歯ブラシ部材３を、歯間ブラシ部材２を配置したケース本体と一体的に保持させているので部品点数も少なく、携行や保管にも便利である。
また、本実施の形態では、図１および図７に示したように、前記ケース本体１の先端に歯ブラシ部材３を嵌装させた状態で取り外し可能に筒状キャップ４が嵌装されている。
そのため、通常は図７に示したような筒状キャップ４を被せた状態で保管、携行する。殊に、本実施の形態では筒状キャップ４の頂面に水抜き孔４１を形成したので、使用後に筒状キャップ４を被せて倒立させた状態で保管しておくことによりブラシに付着している水分を流出させることができる。
図８は前記図７に示した筒状キャップ４を使用時にケース本体１の基部に取り付けた状態を示すものであり、外した筒状キャップの置き場所が不要であるだけでなく、ケース本体１の長さを伸ばして掴み易くすることができるのでケース本体１の長さを短くして全体を小型化することもできる。
【符号の説明】
【０００９】
１  ケース本体、２  歯間ブラシ部材、３  歯ブラシ本体、４  筒状キャップ、１１  振動発生手段、１２  駆動電源、１４  スイッチ、１３  制御部、２１  ブラシ部、３１１  歯ブラシ
【図１】
2012091166.tif 000003
【図２】
2012091166.tif 000004
【図３】
2012091166.tif 000005
【図４】
2012091166.tif 000006
【図５】
2012091166.tif 000007
【図６】
2012091166.tif 000008
【図７】
2012091166.tif 000009
【図８】
2012091166.tif 000010
【図９】
2012091166.tif 000011
【図１０】
2012091166.tif 000012
【図１１】
2012091166.tif 000013
【図１２】
2012091166.tif 000014
【図１３】
2012091166.tif 000015
【国際調査報告】
2012091166.tif 000016
2012091166.tif 000017
2012091166.tif 000018
2012091166.tif 000019